(57)【要約】【課題】保温性が高められた掛け布団を提供する。【解決手段】一実施形態に係る掛け布団１は、長方形状に延びる表地２と、表地２に重ね合されて長方形状に延びる裏地３と、表地２と裏地３との間において仕切られた内部空間のそれぞれに内容物が充填されることによって形成された複数の隆起部１０とを備える。表地２の外縁２Ａと裏地３の外縁３Ａとは互いに縫い合わされている。複数の隆起部１０は、外縁２Ａよりも内側に配置された三角形状の第１隆起部１１を含んでいる。複数の第１隆起部１１は表地２及び裏地３の長手方向Ｄ２に沿って並んでいる。【選択図】図１
2018029659.tif 000002
【特許請求の範囲】
【請求項１】
長方形状に延びる表地と、
前記表地に重ね合されて長方形状に延びる裏地と、
前記表地と前記裏地との間において仕切られた複数の内部空間のそれぞれに内容物が充填されることによって形成された複数の隆起部と、
を備え、
前記表地の外縁と前記裏地の外縁とは互いに縫い合わされており、
前記複数の隆起部は、前記外縁よりも内側に配置された三角形状の第１隆起部を含んでおり、
複数の前記第１隆起部が前記表地及び前記裏地の長手方向に沿って並んでいる、
掛け布団。
【請求項２】
前記複数の隆起部は、前記長手方向の少なくとも一端に配置された鈍角三角形状の第２隆起部を含んでおり、
前記第２隆起部の最も長い辺の位置が前記外縁の位置と一致している、
請求項１に記載の掛け布団。
【請求項３】
前記複数の隆起部は、前記表地及び前記裏地の幅方向の両端に配置された長方形状の第３隆起部を含んでおり、
複数の前記第３隆起部が前記長手方向の一端から他端にまで並んでいる、
請求項１又は２に記載の掛け布団。
【発明の詳細な説明】
【技術分野】
【０００１】
本発明は、複数の隆起部を備えた掛け布団に関する。
【背景技術】
【０００２】
従来から、羽毛布団等の掛け布団は知られており、掛け布団は使用者の身体に掛けられて使用される。特開平１１−９４１０号公報には、表地、裏地及び中間布を備えた羽毛布団が開示されている。中間布は表地と裏地の間に配置されており、中間布と表地の間、及び中間布と裏地の間には、細幅帯状のマチが設けられている。このマチは、中間布と表地の間の内部空間、及び中間布と裏地の間の内部空間を仕切っており、仕切られた内部空間のそれぞれには羽毛等の内容物が充填される。
【０００３】
このように各内部空間に内容物が充填されることによって、羽毛布団には、マチを境とした複数の隆起部が形成される。前述の羽毛布団では、表地に菱形状の隆起部が複数設けられると共に、裏地に長方形状の隆起部が複数設けられる。また、表地の外縁には三角形状の隆起部が複数設けられる。
【先行技術文献】
【特許文献】
【０００４】
【特許文献１】特開平１１−９４１０号公報
【発明の概要】
【発明が解決しようとする課題】
【０００５】
前述した掛け布団では、表地の外縁に三角形状の隆起部が複数設けられるものの、外縁よりも内側には菱形の隆起部が複数設けられている。また、裏地には長方形状の隆起部が複数設けられている。ここで、四角形状の隆起部では、角の数が多いことによって、隆起部の角の部分に内容物が十分に行き渡らないという問題がある。このように、隆起部の角の部分に内容物が行き渡らないことにより、隆起部の角の部分からは熱が逃げやすくなっている。従って、外縁の内側に菱形状及び長方形状の隆起部が設けられた前述の掛け布団では、これらの隆起部の角の部分から熱が逃げてしまうので、保温性の点で改善の余地がある。
【０００６】
本発明は、保温性が高められた掛け布団を提供することを目的とする。
【課題を解決するための手段】
【０００７】
本発明者らは、三角形状の隆起部では、四角形状の隆起部と比較して、角の数が少ないことにより、内容物が均一に行き渡りやすくなるという知見を見出した。すなわち、三角形状の隆起部では、四角形状の隆起部と比較して、上記角の部分の数が少ないので、内容物が行き渡りにくい部分の数を減らすことができる。従って、内容物が行き渡りにくい部分を減らせることにより、隆起部内において内容物をより均一に行き渡らせることができる。本発明は、このような知見に基づいてなされたものである。すなわち、本発明の一側面に係る掛け布団は、長方形状に延びる表地と、表地に重ね合されて長方形状に延びる裏地と、表地と裏地との間において仕切られた複数の内部空間のそれぞれに内容物が充填されることによって形成された複数の隆起部と、を備え、表地の外縁と裏地の外縁とは互いに縫い合わされており、複数の隆起部は、外縁よりも内側に配置された三角形状の第１隆起部を含んでおり、複数の第１隆起部が表地及び裏地の長手方向に沿って並んでいる。
【０００８】
この掛け布団では、三角形状の複数の第１隆起部が、外縁よりも内側に配置されており、且つ長手方向に沿って並んでいる。従って、外縁よりも内側に複数の三角形状の第１隆起部が設けられることによって、外縁よりも内側に、角の部分の数が少ない隆起部がより多く設けられることになる。このように外縁の内側に角の数が少ない隆起部を多く設けて当該隆起部のそれぞれに内容物を充填させることにより、各隆起部に対してより均一に内容物を行き渡らせることができる。従って、各隆起部から熱を逃げにくくすることができるので、掛け布団の保温性を高めることができる。
【０００９】
また、複数の隆起部は、長手方向の少なくとも一端に配置された鈍角三角形状の第２隆起部を含んでおり、第２隆起部の最も長い辺の位置が外縁の位置と一致していてもよい。この場合、長手方向の少なくとも一端に第２隆起部の最も長い辺が位置するので、長手方向の少なくとも一端に位置する隆起部の境目の数を減らすことができる。隆起部の境目は、他の部分と比較して、内容物が十分に行き渡っていないことがあるので、熱が逃げやすいと共に身体へのフィット感が良好でない箇所である。そこで、前述のように、長手方向の少なくとも一端に位置する隆起部の境目の数を減らすことにより、当該一端において熱を逃げにくくすることができる。従って、保温性を高めることができると共に身体へのフィット感を良好にすることができる。
【００１０】
また、複数の隆起部は、表地及び裏地の幅方向の両端に配置された長方形状の第３隆起部を含んでおり、複数の第３隆起部が長手方向の一端から他端にまで並んでいてもよい。この場合、幅方向の両端において、長方形状の第３隆起部が長手方向に沿って一直線に配置されることになるので、幅方向の両端を垂らしやすくすることができる。よって、掛け布団の幅方向の両端が垂れ下がりやすくなることにより、幅方向の両端から掛け布団の下に空気を入り込みにくくすることができる。このように掛け布団の下に空気を入り込みにくくすることができるので、掛け布団の保温性を一層高めることができる。
【発明の効果】
【００１１】
本発明によれば、保温性を高めることができる。
【図面の簡単な説明】
【００１２】
【図１】本実施形態の掛け布団を示す斜視図である。
【図２】図１の掛け布団を示す平面図である。
【図３】（ａ）は、図２のIIIA−IIIA線断面図である。（ｂ）は、図２のIIIB−IIIB線断面図である。
【図４】（ａ）は、内容物を充填させるノズルを挿入する開口を示す図である。（ｂ）は、内容物を収容していない状態におけるマチ部を示す図である。
【図５】内容物を充填させて掛け布団を製造する工程を示す図である。
【図６】第１変形例に係る掛け布団を示す平面図である。
【図７】（ａ）は、第２変形例に係る掛け布団を示す平面図である。（ｂ）は、第３変形例に係る掛け布団を示す平面図である。
【発明を実施するための形態】
【００１３】
以下、図面を参照しながら本発明に係る掛け布団の実施形態について説明する。図面の説明において、同一又は相当する要素には同一の符号を付し、重複する説明を省略する。
【００１４】
図１は、本実施形態に係る掛け布団１の斜視図である。図２は、掛け布団１を模式的に示す平面図である。掛け布団１は、羽毛布団であり、例えばベッドのマットレスの上に乗せられて使用される。掛け布団１は、全体として長方形状を呈する。掛け布団１は、長方形状の表地２と、表地２の裏側に位置する長方形状の裏地３とを備えている。表地２及び裏地３は、例えば、互いに同一の形状及び同一の大きさとされている。
【００１５】
掛け布団１は、平面視における（表地２及び裏地３の面外方向から見たときの）中心Ｃを通ると共に幅方向Ｄ１に延びる基準線Ｌ１に対して互いに対称となっており、且つ、中心Ｃを通ると共に長手方向Ｄ２に延びる基準線Ｌ２に対して互いに対称となっている。幅方向Ｄ１及び長手方向Ｄ２は、例えば互いに直交している。
【００１６】
前述したように、掛け布団１は、基準線Ｌ１に対して互いに対称とされているため、長手方向Ｄ２への向きを逆にしても、逆にしない場合と同様に使用可能である。また、掛け布団１では、表地２及び裏地３の形状が互いに同一であるため、表裏を逆にしても、逆にしない場合と同様に使用可能である。
【００１７】
表地２及び裏地３の材料は、綿、ポリエステル、レーヨン又はリヨセル等であってもよく、表地２及び裏地３の材料としては種々のものを用いることが可能である。表地２は、２つの短辺２ａと２つの長辺２ｂとを含む外縁２Ａを有しており、裏地３も同様に、短辺３ａと長辺３ｂを含む外縁３Ａを有する。例えば、短辺２ａ，３ａの長さは１５５ｃｍであり、長辺２ｂ，３ｂの長さは２２０ｃｍであるが、短辺２ａ，３ａ及び長辺２ｂ，長辺３ｂの長さは、上記の例に限られず適宜変更可能である。
【００１８】
表地２の短辺２ａと裏地３の短辺３ａが合わされると共に、表地２の長辺２ｂと裏地３の長辺３ｂが合わされることによって、表地２の外縁２Ａと裏地３の外縁３Ａが重ねられる。そして、この状態で表地２の外縁２Ａと裏地３の外縁３Ａが縫い込まれることにより、表地２と裏地３が連結される。
【００１９】
図１〜図３に示されるように、掛け布団１は、表地２と裏地３の間の内部空間を仕切るマチ部４を備える。例えば、マチ部４は立体キルトである。マチ部４は、幅方向Ｄ１に延びる第１マチ部４ａと、長手方向Ｄ２に延びる第２マチ部４ｂと、幅方向Ｄ１及び長手方向Ｄ２に対して傾斜する第３マチ部４ｃとを含んでいる。
【００２０】
第１マチ部４ａは、掛け布団１の幅方向Ｄ１の両端に設けられており、第１マチ部４ａの本数は例えば６本である。第２マチ部４ｂは、掛け布団１の幅方向Ｄ１の中央及び両端側に設けられており、第２マチ部４ｂの本数は例えば３本である。第３マチ部４ｃは、平面視において右斜め上に延在するものと、左斜め上に延在するものとを含んでおり、第３マチ部４ｃの本数は例えば８本である。
【００２１】
例えば、幅方向Ｄ１の中央に位置する第２マチ部４ｂの高さ（厚さ方向Ｄ３の長さ）は、幅方向Ｄ１の両端側に位置する第２マチ部４ｂより高くてもよい。この場合、幅方向Ｄ１の中央に位置する第２マチ部４ｂの高さは６ｃｍであり、幅方向Ｄ１の両端側に位置する第２マチ部４ｂの高さは３ｃｍとすることができる。
【００２２】
例えば、第１マチ部４ａの高さは３ｃｍである。また、第３マチ部４ｃの高さは、幅方向Ｄ１の両端側に位置する第２マチ部４ｂから、幅方向Ｄ１の中央に位置する第２マチ部４ｂに向かって徐々に（例えば直線状に）高くなっている。なお、第１マチ部４ａ、第２マチ部４ｂ及び第３マチ部４ｃの本数及び高さは、上記の例に限られず適宜変更可能である。
【００２３】
以上のように配置されたマチ部４によって、掛け布団１は、その内部空間Ｓの数が２４となるように仕切られており、仕切られた内部空間Ｓのそれぞれには内容物６が充填される。内容物６は、例えば、羽毛（羽根）である。掛け布団１では、内容物６を羽毛とすることによって、膨らんだ羽毛の中に熱を閉じ込めることが可能となっており高い保温性を発揮する。また、各内部空間Ｓへの内容物６の充填によって、掛け布団１は、表地２及び裏地３の面外方向である厚さ方向Ｄ３に盛り上がる複数の隆起部１０を形成する。
【００２４】
図１及び図３に示されるように、隆起部１０は、例えば、上に大きく丸みを帯びて湾曲したドーム状に盛り上がっている。隆起部１０は、表地２の外縁２Ａ及び裏地３の外縁３Ａよりも内側に設けられた三角形状の第１隆起部１１と、長手方向Ｄ２の両端に設けられた鈍角三角形状の第２隆起部１２と、幅方向Ｄ１の両端に設けられた長方形状の第３隆起部１３とを含んでいる。第１隆起部１１、第２隆起部１２及び第３隆起部１３は、形状が互いに異なっている。
【００２５】
第１隆起部１１は、例えば、正三角形状とされている。第１隆起部１１の３つの頂点のうち、少なくとも２つの頂点は外縁２Ａ，３Ａよりも内側に位置している。各第１隆起部１１の一辺の長さは、一例として５５ｃｍであるが適宜変更可能である。第１隆起部１１は、長手方向Ｄ２に沿って複数配置されており、長手方向Ｄ２に沿って配置される第１隆起部１１の個数は例えば７個である。
【００２６】
複数の第１隆起部１１の間には、第２マチ部４ｂ又は第３マチ部４ｃが介在している。また、長手方向Ｄ２に隣り合う２つの第１隆起部１１の向きは互いに逆とされている。このように、長手方向Ｄ２に隣り合う２つの第１隆起部１１の向きが逆となるように第１隆起部１１を配置することにより、第１隆起部１１の効率よい配置が実現されている。
【００２７】
長手方向Ｄ２に沿って並ぶ複数の第１隆起部１１の列は、例えば２列設けられている。また、長手方向Ｄ２に沿って並ぶ複数の第１隆起部１１の列は、長手方向Ｄ２に沿って延びる基準線Ｌ２に対して互いに対称とされている。すなわち、複数の第１隆起部１１は、基準線Ｌ２に対して互いに線対称となる位置に配置されている。
【００２８】
第２隆起部１２は、例えば、鈍角二等辺三角形である。第２隆起部１２が設けられる部位は、使用者の襟元が接触する部位である。例えば、第２隆起部１２の等辺の長さは５５ｃｍであり、第２隆起部１２の底辺の長さは９６ｃｍであるが、これらの長さは適宜変更可能である。
【００２９】
第２隆起部１２の各等辺は、第１隆起部１１の一辺と一致している。各第２隆起部１２は、第１隆起部１１の長手方向Ｄ２の両端側（短辺２ａ，３ａ側）に位置する。第２隆起部１２の底角の位置は第１隆起部１１の一つの角の位置と一致している。また、第２隆起部１２の底辺の長さは、第１隆起部１１の幅方向Ｄ１の長さの２倍とされている。
【００３０】
鈍角を成す第２隆起部１２の頂角は、幅方向Ｄ１の中央に位置しており、複数の第１隆起部１１の辺が交わる位置と一致している。また、第２隆起部１２の底角及び底辺は外縁２Ａ，３Ａ（短辺２ａ，３ａ）に位置している。このように、第２隆起部１２の鈍角に対向する底辺が外縁２Ａ，３Ａに一致することにより、長手方向Ｄ２の両端において、幅方向Ｄ１の中央に隆起部１０の境目部分（縫製線部）が位置しないようになっている。すなわち、短辺２ａ，３ａの中央には隆起部１０の縫製線部は存在しない。
【００３１】
第３隆起部１３は、第１隆起部１１及び第２隆起部１２の幅方向Ｄ１の両端側（長辺２ｂ，３ｂ側）に設けられている。第３隆起部１３と第１隆起部１１の間には、第２マチ部４ｂが介在している。各第３隆起部１３は、縦長の（長手方向Ｄ２に延びる）長方形状とされており、第３隆起部１３の長手方向Ｄ２に延びる一辺は第１隆起部１１の一辺と一致する。例えば、第３隆起部１３の長手方向Ｄ２の長さは５５ｃｍであり、第３隆起部１３の幅方向Ｄ１の長さは２９．５ｃｍであるが、これらの長さは適宜変更可能である。また、複数の第３隆起部１３の間には第１マチ部４ａが介在している。
【００３２】
複数の第３隆起部１３は、長手方向Ｄ２の一端から他端にまで配置されている。長手方向Ｄ２に沿って配置される第３隆起部１３の個数は例えば４個である。長手方向Ｄ２に沿って並ぶ複数の第３隆起部１３は、基準線Ｌ２に対して互いに対称となる位置に配置されている。
【００３３】
図４（ａ）及び図５に示されるように、２つの短辺２ａ，３ａのうちの一方には、内容物６を内部空間Ｓに充填させるノズル７が入り込む開口８が形成される。ノズル７は、例えば円筒状となっており、このノズル７から内容物６が噴射されることによって掛け布団１の各内部空間Ｓに内容物６が充填される。
【００３４】
開口８は、ノズル７が入り込める程度の大きさとされる。開口８は、長手方向Ｄ２に延びる第２マチ部４ｂの一端に形成されている。また、図４（ａ）及び図４（ｂ）に示されるように、開口８において、第２マチ部４ｂは２枚の布状部４ｄを有しており、２枚の布状部４ｄの間にもノズル７が通される。各布状部４ｄには、ノズル７を通すためのスリット４ｅが形成されている。２枚の布状部４ｄにおいて、一方の布状部４ｄに形成されたスリット４ｅの位置と、他方の布状部４ｄに形成されたスリット４ｅの位置とは互いに異なっている。
【００３５】
このように、一方の布状部４ｄのスリット４ｅの位置と、他方の布状部４ｄのスリット４ｅの位置とが異なることにより、各内部空間Ｓにノズル７を入れやすくなっておりスムーズな内容物６の充填を可能としている。また、各布状部４ｄは、内容物６を入れていない状態では、図４（ｂ）に示されるように、折り畳まれている。しかしながら、内容物６を入れて内部空間Ｓを膨らませた状態では、各布状部４ｄは立ち上がり、これに伴って各スリット４ｅが塞がれる。
【００３６】
次に、内部空間Ｓのそれぞれにノズル７で内容物６を充填し、掛け布団１を製造する製造方法について図５を参照しながら説明する。なお、図５の黒色の矢印は、各内部空間Ｓにノズル７が挿入される様子を示しており、黒色の矢印の根元部分に前述したスリット４ｅが設けられている。
【００３７】
まず、２つの開口８のうちの一方（例えば右側の開口８）にノズル７を挿入し、ノズル７を第２マチ部４ｂの最奥部まで押し込む。すなわち、開口８の反対側の短辺２ａ，３ａ付近にまでノズル７を押し込む。そして、例えば図５の右側上端に位置する第３隆起部１３にノズル７から内容物６を充填し、その後、ノズル７を手前に引きながら左側の第１隆起部１１に内容物６を充填する。このように、ノズル７を奥から第２マチ部４ｂに沿って手前に引きながら順次内容物６を充填していく。そして、左側の開口８にノズル７を挿入し、上記同様、奥から手前に向かって第１隆起部１１及び第３隆起部１３に内容物６を充填させていく。
【００３８】
次に、開口８及び第２隆起部１２を介して幅方向Ｄ１の中央の第２マチ部４ｂにノズル７を挿入し、最奥部までノズル７を押し込み、この最奥部に位置する第２隆起部１２に内容物６を充填させる。そして、ノズル７を奥から手前に引きながら第２マチ部４ｂの左右に位置する各第１隆起部１１に内容物６を充填させていく。その後、開口８側に位置する第２隆起部１２に内容物６を充填させて、ノズル７を開口８から外し、２つの開口８を封止することによって掛け布団１が完成する。
【００３９】
続いて、本実施形態に係る掛け布団１の作用効果について説明する。まず、本実施形態の三角形状の第１隆起部１１では、四角形状の隆起部と比較して、角の部分の数が少ないので、内容物６が行き渡りにくい部分の数を減らすことができる。従って、内容物６が行き渡りにくい部分を減らせることにより、各第１隆起部１１内において内容物６をより均一に行き渡らせることができる。
【００４０】
そして、掛け布団１では、三角形状の複数の第１隆起部１１が、外縁２Ａ，３Ａよりも内側に配置されており、且つ長手方向Ｄ２に沿って並んでいる。従って、外縁２Ａ，３Ａよりも内側に複数の三角形状の第１隆起部１１が設けられることによって、外縁２Ａ，３Ａよりも内側に、角の部分の数が少ない第１隆起部１１がより多く設けられることになる。
【００４１】
このように外縁２Ａ，３Ａの内側に角の部分の数が少ない第１隆起部１１を多く設けて第１隆起部１１のそれぞれに内容物６を充填させることにより、各第１隆起部１１に対して均一に内容物６を行き渡らせることができるので、各隆起部１０の角の部分からの放熱量を減少させることができる。従って、隆起部１０の角の部分から熱を逃げにくくすることができるので、掛け布団１の保温性を高めることができ、掛け布団１ではより高い保温効果が発揮される。
【００４２】
特に、掛け布団１では、外縁２Ａ，３Ａよりも内側には、四角形状の隆起部１０が設けられておらず、三角形状の第１隆起部１１のみが配置されている。また、両端の第３隆起部１３よりも内側には三角形状の第１隆起部１１及び第２隆起部１２のみが配置されている。従って、掛け布団１では、一層高い保温効果を発揮させることができる。
【００４３】
また、複数の隆起部１０は、長手方向Ｄ２の両端に配置された鈍角三角形状の第２隆起部１２を含んでおり、第２隆起部１２の最も長い辺の位置が外縁２Ａ，３Ａの位置と一致している。よって、長手方向Ｄ２の両端に第２隆起部１２の最も長い辺が位置するので、長手方向Ｄ２の両端に位置する隆起部１０の境目（縫製線部）の数を減らすことができる。
【００４４】
隆起部１０の境目は、他の部分と比較して、内容物６が十分に行き渡っていないことがあるので、熱が逃げやすいと共に身体へのフィット感が良好でない箇所である。そこで、前述のように、長手方向Ｄ２の両端に位置する隆起部１０の境目の数を減らすことにより、当該両端において熱を逃げにくくして使用者の襟元の保温性を高めることができる。そして、使用者の襟元に対するフィット感を良好にすることができる。
【００４５】
また、複数の隆起部１０は、表地２及び裏地３の幅方向Ｄ１の両端に配置された長方形状の第３隆起部１３を含んでおり、複数の第３隆起部１３が長手方向Ｄ２の一端から他端にまで並んでいる。従って、幅方向Ｄ１の両端において、長方形状の第３隆起部１３が長手方向Ｄ２に沿って一直線に配置されることになる。また、第２マチ部４ｂが長手方向Ｄ２の一端から他端まで一直線に配置される。よって、幅方向Ｄ１の両端（第３隆起部１３の部分）を下に垂らしやすくすることができる。
【００４６】
従って、掛け布団１の幅方向Ｄ１の両端が垂れ下がりやすくなるので、幅方向Ｄ１の両端から掛け布団１の下に空気を入り込みにくくすることができる。よって、掛け布団１の下に空気を入り込みにくくすることができるので、掛け布団１の保温性を一層高めることができる。
【００４７】
また、本実施形態では、幅方向Ｄ１の中央に位置する第２マチ部４ｂの高さは、幅方向Ｄ１の両端側に位置する第２マチ部４ｂよりも高くなっている例について説明した。この場合、第３隆起部１３の嵩と比較して、第１隆起部１１の嵩を増やすことができる。よって、幅方向Ｄ１の中央側に充填される内容物６の量を増やすことができるので、保温性を一層高めることができる。
【００４８】
また、本実施形態に係る掛け布団１の製造方法では、ノズル７を奥から手前に引きながら内容物６の充填を行っていく。このように奥から手前に向かって内容物６の充填を行うことにより、手前から奥に向かって充填を行う場合と比較して、ノズル７による内容物６の充填をスムーズに行うことができる。
【００４９】
以上、本発明の実施形態について説明したが、本発明は、前述した実施形態に限定されるものではなく、特許請求の範囲に記載した要旨を変更しない範囲で変形し、又は他のものに適用したものであってもよい。すなわち、本発明は、特許請求の範囲に記載した要旨を変更しない範囲で種々の変形が可能である。
【００５０】
前述の実施形態では、長手方向Ｄ２に並ぶ複数の第１隆起部１１の列が２列設けられる例について説明したが、この列の数は適宜変更することが可能である。例えば、図６の掛け布団２１に示されるように、長手方向Ｄ２に並ぶ複数の第１隆起部１１の列を増やしてもよい。掛け布団２１では、７つ並ぶ第１隆起部１１の列が４列並んでいる。また、長手方向Ｄ２に並ぶ複数の第１隆起部１１の列が１列のみであってもよい。
【００５１】
また、前述の実施形態では、内部空間Ｓの数及び隆起部１０の数が２４である掛け布団１について説明したが、この内部空間及び隆起部の数は２４に限定されず適宜変更可能である。
【００５２】
また、前述の実施形態では、複数の第１隆起部１１が基準線Ｌ２に対して互いに線対称となるように配置される例について説明したが、複数の第１隆起部１１は互いに対称に配置されなくてもよく、第１隆起部１１の配置は適宜変更可能である。例えば、図７（ａ）の掛け布団３１に示されるように、幅方向Ｄ１に隣り合う２つの第１隆起部１１の向きが互いに同一であってもよい。
【００５３】
また、前述の実施形態では、幅方向Ｄ１の両端に長方形状の第３隆起部１３が設けられる例について説明したが、図７（ｂ）の掛け布団４１に示されるように、第３隆起部１３に代えて、三角形状の第４隆起部１４が設けられてもよい。このように長方形状の第３隆起部１３を省略することも可能である。
【００５４】
前述の実施形態では、ノズル７が入り込む開口８を２箇所形成する例について説明した。しかしながら、開口８は、１箇所又は３箇所以上形成してもよい。また、前述の実施形態では、ノズル７が入り込む開口８が短辺２ａ，３ａに形成される例について説明したが、開口８の場所を適宜変更することも可能である。更に、前述の実施形態では、２枚の布状部４ｄを有する第２マチ部４ｂについて説明したが、掛け布団１を構成するマチ部の形状、数及び大きさについては適宜変更可能である。
【００５５】
前述の実施形態では、表地２と裏地３との間の内部空間Ｓがマチ部４によって仕切られている例について説明した。しかしながら、表地２と裏地３との間はマチ部４によって仕切られていなくてもよく、マチ部４を省略することも可能である。例えば、マチ部４に代えて、表地２と裏地３とが直接縫い合わされた直縫い部（タタキキルト）を備えていてもよく、本発明に係る掛け布団は、例えば夏場に用いられる薄手のタオルケットであってもよい。
【符号の説明】
【００５６】
１，２１，３１，４１…掛け布団、２…表地、２Ａ，３Ａ…外縁、２ａ，３ａ…短辺、２ｂ，３ｂ…長辺、３…裏地、４…マチ部、４ａ…第１マチ部、４ｂ…第２マチ部、４ｃ…第３マチ部、４ｄ…布状部、４ｅ…スリット、６…内容物、７…ノズル、８…開口、１０…隆起部、１１…第１隆起部、１２…第２隆起部、１３…第３隆起部、１４…第４隆起部、Ｃ…中心、Ｄ１…幅方向、Ｄ２…長手方向、Ｄ３…厚さ方向、Ｌ１，Ｌ２…基準線、Ｓ…内部空間。
【図１】
2018029659.tif 000003
【図２】
2018029659.tif 000004
【図３】
2018029659.tif 000005
【図４】
2018029659.tif 000006
【図５】
2018029659.tif 000007
【図６】
2018029659.tif 000008
【図７】
2018029659.tif 000009